(57)【要約】【課題】快適な装着状態を長時間維持できる鼻マスクを提供する。【解決手段】左右の鼻孔２２０Ｌ，２２０Ｒの各々に挿入されて鼻中隔２１０を左右両側から挟む２つの鼻中隔挟み部１１１Ｌ，１１１Ｒを鼻孔２２０Ｌ，２２０Ｒへの挿入方向先端側に有し、鼻中隔挟み部１１１Ｌ，１１１Ｒによって鼻中隔２１０を挟んだ状態としたときに鼻孔２２０Ｌ，２２０Ｒへの挿入方向後端側が鼻孔２２０Ｌ，２２０Ｒの各々の入口面よりも外側に位置する鼻マスク脱落防止部１１０と、鼻マスク脱落防止部１１０の挿入方向後端側に位置して、鼻孔２２０Ｌ，２２０Ｒの各々の入口面に対向する開口部を有するフレーム１２０と、少なくとも開口部を覆うようにフレーム１２０に支持されるフィルタ１３０Ｌ，１３０Ｒとを有する。【選択図】図３
2010279603.tif 000002
【特許請求の範囲】
【請求項１】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタと、
を有することを特徴とする鼻マスク。
【請求項２】
請求項１に記載の鼻マスクにおいて、
前記鼻マスク脱落防止部及び前記フレームは、別体として形成され、前記鼻マスク脱落防止部の挿入方向後端側が前記フレームに対して接合されることを特徴とする鼻マスク。
【請求項３】
請求項１に記載の鼻マスクにおいて、
前記鼻マスク脱落防止部及び前記フレームは、一体として形成されることを特徴とする鼻マスク。
【請求項４】
請求項１〜３のいずれかに記載の鼻マスクにおいて、
前記鼻中隔挟み部には、球形状部が形成されていることを特徴とする鼻マスク。
【請求項５】
請求項４に記載の鼻マスクにおいて、
前記球形状部は、シリコンコーティングによって形成されることを特徴とする鼻マスク。
【請求項６】
請求項１〜５のいずれかに記載の鼻マスクにおいて、
前記フレームは、前記左右の両端部に使用者が指でつまむことのできる把持部を有することを特徴とする鼻マスク。
【請求項７】
請求項１〜６のいずれかに記載の鼻マスクにおいて、
前記フレームは、曲げ力が与えられることによって所定形状が形成されたときにその所定形状を保持することができ、かつ、弾性を有する素材により形成されることを特徴とする鼻マスク。
【請求項８】
請求項１〜７のいずれかに記載の鼻マスクにおいて、
前記フレームは、フレーム全体が前記フィルタを形成するフィルタ素材によって覆われた構成とすることを特徴とする鼻マスク。
【発明の詳細な説明】
【技術分野】
【０００１】
本発明は、花粉や粉塵などの防御用として好適な鼻マスクに関する。
【背景技術】
【０００２】
花粉やハウスダストなど空気中を浮遊する微粒子によるアレルギー性鼻炎に悩まされる人は年々増加傾向にある。このようなアレルギー性鼻炎対策としては、マスクの着用が一般的であるが、従来の一般的なマスクは、鼻及び口を含む顔の下半分を覆うため、見た目に大げさな印象を与え、また、対話がしづらく飲食時にはマスクを外さなければならないといった不便さもあることからマスクの着用を嫌う人も多い。
【０００３】
一方、このような顔半分を覆う一般的なマスクに対して鼻のみを覆うマスク（鼻マスクという）が従来から様々提案されている（例えば、特許文献１〜３参照）。特許文献１〜３に開示されている鼻マスクは、いずれも鼻に装着されるマスクであるため、従来の一般的なマスクが有する上記した課題は解消される。なお、特許文献２においては「防塵マスク」と表記されているが、鼻に装着されるマスクであるため、ここでは「鼻マスク」として説明する。
【先行技術文献】
【特許文献】
【０００４】
【特許文献１】特開２００２−３４５９８６号公報
【特許文献２】特開２００７−３０１３４５号公報
【特許文献３】特開２００３−３０５１３５号公報
【発明の概要】
【発明が解決しようとする課題】
【０００５】
しかしながら、特許文献１及び特許文献２に開示されている鼻マスクは、いずれも鼻孔内にフィルタを挿入するものであるため、当該鼻マスクの装着中は、鼻孔内に異物が存在することによる不快感を使用者に与えることは否めない。
【０００６】
すなわち、特許文献１に開示された鼻マスクは、弾性を有するＣ型の輪環状フレームに支持されたフィルタを輪環状フレームごと鼻孔内に挿入するものであり、輪環状フレームが鼻孔内で広がろうとする働きによって鼻マスクの脱落防止機能を持たせている。
【０００７】
このように、特許文献１に開示された鼻マスクは、該鼻マスクの装着中においては、輪環状フレームが鼻孔内で広がろうとする力を常に使用者に与えることになるため、このような鼻マスクを長時間使用することは苦痛である。
【０００８】
一方、特許文献２に開示された鼻マスクは、左右のフィルタを連結する連結部が、鼻中隔を挟む機能を有しているため、この連結部（特許文献１においては挟み部としている）によって鼻マスクの脱落防止が図れる。このため、特許文献２に開示された鼻マスクは、単に、フィルタは鼻孔内に挿入されるだけのものであるが、フィルタが鼻孔内に挿入されるという点では特許文献１に開示された鼻マスクと同じであり、鼻孔内に異物が存在することによる不快感を使用者に与えることは否めない。
【０００９】
しかも、特許文献２に開示された鼻マスクは、挟み部の先端（鼻孔内部への挿入方向先端部）にフィルタが取り付けられているため、挟み部を鼻孔の所定位置にまで挿入した状態においては、フィルタは鼻孔の入口からさらに奥に入った位置にまで達することとなる。このため、使用者に与える不快感はより大きなものとなり、このような鼻マスクを長時間使用することは苦痛である。
【００１０】
これに対して、特許文献３に開示された鼻マスクは、特許文献１及び特許文献２に開示された鼻マスクとは異なり、フィルタを鼻孔内に挿入するものではなく、粘着剤を塗布したフィルタを鼻孔の入口に貼りつける絆創膏式の鼻マスクである。このため、鼻孔内にフィルタが挿入されないので、特許文献１及び特許文献２に開示された鼻マスクのようにフィルタが鼻孔内に挿入されることによる不快感を使用者に与えることはない。
【００１１】
しかしながら、特許文献３に開示された鼻マスクは、粘着剤が鼻の皮膚に直接触れることになるので、粘着剤がアレルギー症状を引き起す原因となる場合もある。また、特許文献３に開示された鼻マスクは、当該鼻マスクの装着中においては、鼻孔の入口に絆創膏が貼られているのと同じ状態であるので、長時間その状態が継続することは不快であり、このような鼻マスクを長時間使用することは苦痛である。
【００１２】
そこで本発明は、快適な装着状態を長時間維持できる鼻マスクを提供することを目的とする。
【課題を解決するための手段】
【００１３】
（１）本発明の鼻マスクは、左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、前記鼻マスク脱落防止部の前記挿入方向後端側に位置して、前記鼻孔の各々の入口面に対向する開口部を有するフレームと、少なくとも前記開口部を覆うように前記フレームに支持されるフィルタとを有することを特徴とする。
【００１４】
このように、本発明の鼻マスクにおいては、フィルタが鼻孔内に挿入されるものではなく、フレームに保持された状態で鼻孔の入口面に存在するものであるため、鼻孔内に異物が存在することによる不快感を使用者に与えることがない。また、粘着剤などにより皮膚に直接貼り付けて使用するものではないため、接着剤が皮膚に悪影響を及ぼすというような不具合を未然に防止することができる。したがって、本発明の鼻マスクは、快適な装着状態を長時間維持できる鼻マスクとすることができる。
【００１５】
（２）本発明の鼻マスクにおいては、前記鼻マスク脱落防止部及び前記フレームは、別体として形成され、前記鼻マスク脱落防止部の挿入方向後端側が前記フレームに対して接合されることが好ましい。
【００１６】
これは、鼻マスク脱落防止部及びフレームをそれぞれ別部品として形成するものであり、このようにすることで、それぞれの部品は単純なものとすることができ、それぞれの部品の製造を容易にすることができる。なお、鼻マスク脱落防止部とフレームとを別部品として形成することによって、鼻マスク脱落防止部とフレームとを接合するための工数は増えるが、両者の接合は接着剤などにより容易に行うにことができる。また、鼻マスク脱落防止部とフレームとを接合したあとは、接着剤が直接皮膚に触れることはないので、接着剤が皮膚に悪影響を及ぼすという心配もない。
【００１７】
（３）本発明の鼻マスクにおいては、前記鼻マスク脱落防止部及び前記フレームは、一体として形成されることもまた好ましい。
【００１８】
このように、鼻マスク脱落防止及びフレームを一体として形成することも可能であり、このようにすることで、部品点数を減らすことができ、組み立て工数も減らすことができる。
【００１９】
（４）本発明の鼻マスクにおいては、前記鼻中隔挟み部には、球形状部が形成されていることが好ましい。
【００２０】
このように、鼻中隔挟み部が球状部をなすことにより、本発明の鼻マスクを装着したときに、鼻孔の粘膜などに損傷を与えにくくすることができる。
【００２１】
（５）本発明の鼻マスクにおいては、前記球形状部は、シリコンコーティングによって形成されることが好ましい。
【００２２】
このように、シリコンコーティングにより球形状部を形成することにより、球形状部を柔らかくすることができ、鼻孔の粘膜などに損傷を与えにくくする効果をより高めることができる。
【００２３】
（６）本発明の鼻マスクにおいては、前記フレームは、前記左右の両端部に使用者が指でつまむことのできる把持部を有することが好ましい。
【００２４】
これにより、本発明の鼻マスクの装着及び取り外しを容易に行うことができる。また、当該把持部を折り曲げ自在とすれば、鼻の左右の鼻翼の表面に沿うように左右両端の把持部をそれぞれ折り曲げることにより、鼻マスクの装着状態をより確実にすることができる。
【００２５】
（７）本発明の鼻マスクにおいては、前記フレームは、曲げ力が与えられることによって所定形状が形成されたときにその所定形状を保持することができ、かつ、弾性を有する素材により形成されることが好ましい。
【００２６】
フレームをこのような素材により製造することにより、当該フレームを鼻孔の入口面の形状に容易に合わせることができ、装着された鼻マスクを鼻孔の入口面に密接状態とすることができる。これにより、鼻マスクの存在が目立なくすることができるとともに、フィルタによるフィルタ効果を高めることができる。なお、フレームは、透明又は人間の皮膚の色に近い色とすることが好ましく、フィルタ及び鼻マスク脱落防止部は、人間の鼻孔は外から見たときに黒く見えることからそれに合わせた色とすることが好ましく、フレーム、フィルタ及び鼻マスク脱落防止部をこのような色とすることにより、装着された鼻マスクの存在を、より目立たなくすることができる。
【００２７】
（８）本発明の鼻マスクにおいては、前記フレームは、フレーム全体が前記フィルタを形成するフィルタ素材によって覆われた構成とすることもまた好ましい。
【００２８】
このように、フレーム全体がフィルタを形成する素材で覆われた構成とすることも可能であり、このような構成とすることによって、フレームがフィルタ素材に埋め込まれたものとなり、他人からフレームが目視できない状態となり、見栄えのよい鼻マスクとすることができる。
【図面の簡単な説明】
【００２９】
【図１】実施形態１に係る鼻マスク１０１の構成を示す図。
【図２】実施形態１に係る鼻マスク１０１を分解して示す斜視図。
【図３】実施形態１に係る鼻マスク１０１を人間の鼻２００に装着した状態を模式的に示す断面図。
【図４】実施形態１に係る鼻マスク１０１の装着手順を説明する図。
【図５】実施形態２に係る鼻マスク１０２の構成を示す図。
【図６】脱落防止部一体型フレーム１５０の構成を示す平面図。
【発明を実施するための形態】
【００３０】
以下、本発明の実施形態について説明する。
【００３１】
［実施形態１］
図１は、実施形態１に係る鼻マスク１０１の構成を示す図である。図１（ａ）は正面図であり、図１（ｂ）は平面図である。また、図２は、実施形態１に係る鼻マスク１０１を分解して示す斜視図である。図３は、実施形態１に係る鼻マスク１０１を人間の鼻２００に装着した状態を模式的に示す断面図である。
【００３２】
実施形態１に係る鼻マスク１０１は、図１から図３に示すように、鼻中隔２１０を左右両側から挟むことによって鼻マスク１０１の脱落を防止する鼻マスク脱落防止部１１０と、鼻孔２２０Ｌ，２２０Ｒの各入口面に対向する開口部１２１Ｌ，１２１Ｒを有するとともに左右方向の両端部に把持部１２２Ｌ，１２２Ｒを有するフレーム１２０と、開口部１２１Ｌ，１２１Ｒを覆うようにフレーム１２０に支持されるフィルタ１３０Ｌ，１３０Ｒとを有している。
【００３３】
鼻マスク脱落防止部１１０は、例えば、ポリエチレン樹脂、塩化ビニール樹脂などの弾性を有する素材によって薄板状に形成され、実施形態１に係る鼻マスク１０１においては、平面形状がほぼＣ字状をなしている。
【００３４】
この鼻マスク脱落防止部１１０は、鼻中隔２１０を左右両側から挟む２つの鼻中隔挟み部１１１Ｌ，１１１Ｒを鼻孔２２０Ｌ，２２０Ｒへの挿入方向先端側に有している。そして、鼻中隔挟み部１１１Ｌ，１１１Ｒにはシリコンコーティングなどによる球形状部が形成されている。これにより、鼻中隔挟み部１１１Ｌ，１１１Ｒが鼻中隔２１０を挟んだ状態となったとき、鼻中隔２１０を柔らかく挟むことができるため、鼻孔内の粘膜などに損傷を与えないようにすることができる。
【００３５】
また、鼻マスク脱落防止部１１０は、鼻孔２２０Ｌ，２２０Ｒへの挿入方向後端側（鼻マスク脱落防止部１１０の湾曲部における最後端部の外面１１０ｂ）がフレーム１２０に対して接着剤などで接合される。これにより、鼻マスク脱落防止部１１０の挿入方向後端側にフレームが位置するため、鼻中隔挟み部１１１Ｌ，１１１Ｒが鼻中隔２１０を挟んだ状態となったとき、フレーム１２０は、鼻孔２２０Ｌ，２２０Ｒの入口面よりも外側に位置する。
【００３６】
また、鼻マスク脱落防止部１１０とフレーム１２０との接合部Ａ（図１（ｂ）において太線で示す部分）は、フレーム１２０の左右方向において所定幅Ｗを有している。このように、鼻マスク脱落防止部１１０とフレーム１２０との接合部Ａが、フレーム１２０の左右方向において所定幅Ｗを有することにより、両者の接合状態が確実なものとなるとともに、実施形態１に係る鼻マスク１０１を鼻２００に装着する際、フレーム１２０の把持部１２２Ｌ，１２２Ｒを図１（ｂ）の矢印ａ方向に曲げてフレーム１２０を湾曲させると、鼻中隔挟み部１１１Ｌ，１１１Ｒには矢印ｂ，ｂ’方向への回転力が働き、鼻中隔挟み部１１１Ｌと鼻中隔挟み部１１１Ｒとの間隔が広くなるため、鼻中隔挟み部１１１Ｌ，１１１Ｒを鼻孔２２０Ｌ，２２０Ｒに挿入しやすくなる。
【００３７】
また、鼻マスク脱落防止部１１０の湾曲部における最後端部すなわちフレーム１２０との接合部Ａの厚み（湾曲部における最後端部の内面１１０ａと外面１１０ｂとの間の厚み）はできるだけ薄くすることが好ましい。これは、実施形態１に係る鼻マスク１０１を装着した状態（図３参照）としたときに、フレーム１２０との接合部Ａの厚みが薄いほど、鼻マスク脱落防止部１１０の存在が目視されにくくなり、また、フレーム１２０を鼻孔２２０Ｌ，２２０Ｒの入口に密接させることができるからである。
【００３８】
また、フレーム１２０は、フィルタ保持部１２３Ｌ，１２３Ｒと、フィルタ保持部１２３Ｌ，１２３Ｒを連結する連結部１２４とを有している。なお、フィルタ保持部１２３Ｌ，１２３Ｒには、上記した開口部１２１Ｌ，１２１Ｒが設けられるとともにその左右両端側には上記した把持部１２２Ｌ，１２２Ｒが突設されている。
【００３９】
なお、フィルタ保持部１２３Ｌ，１２３Ｒは、それぞれ対応する鼻孔２２０Ｌ，２２０Ｒの入口面よりも一回り大きい程度の外形寸法を有している。また、これらフィルタ保持部１２３Ｌ，１２３Ｒに設けられる開口部１２１Ｌ，１２１Ｒは、鼻孔２２０Ｌ，２２０Ｒの入口面とほぼ同じ大きさか、それよりも一回り小さいものとする。
【００４０】
また、フィルタ保持部１２３Ｌ，１２３Ｒへのフィルタ１３０Ｌ，１３０Ｒの取り付けは、例えば、フィルタ１３０Ｌ，１３０Ｒをフレーム１２０の開口部１２１Ｌ，１２１Ｒよりも一回り程度大きなものとして、それぞれに「糊しろ」を設け、この「糊しろ」に接着材などを塗布してフレーム１２０のフィルタ保持部１２３Ｌ，１２３Ｒに接着することによって行う。なお、図１において、破線で示されている卵型形状の枠がフィルタ１３０Ｌ，１３０Ｒの外形であり、フレーム１２０の開口部１２１Ｌ，１２１Ｒよりも一回り程度大きなものとなっている。
【００４１】
また、フレーム１２０は、曲げ力が与えられることによって所定形状が形成されたときにその所定形状を保持することができ、かつ、弾性を有する軽量な素材であることが好ましい。このような条件を備える素材としては、例えば、シリコン樹脂、ポリエチレン樹脂、塩化ビニール樹脂などの素材を例示することができ、実施形態１に係る鼻マスク１０１のフレーム１２０は、これらの素材を薄いフィルム状として用いる。
【００４２】
このような素材を用いてフレーム１２０を形成することにより、当該フレーム１２０を自分の鼻孔２２０Ｌ，２２０Ｒの入口面の湾曲した形状に沿うような形状とすることが容易となり、それによって、実施形態１に係る鼻マスク１０１を鼻に２００に装着したときに、フレーム１２０を鼻孔２２０Ｌ，２２０Ｒに密接した状態（例えば図３参照）とすることができる。
【００４３】
なお、フレーム１２０は、図１（ｂ）に示すように、フレーム１２０を平面的に見たとき、おおまかには、Ｖ字型をなしている。すなわち、フレーム１２０を平面的に見たときにフィルタ保持部１２３Ｌ及びフィルタ保持部１２３Ｒを直線と考えた場合、それぞれの直線がなす角度は１８０度未満となるように設定しておくが、１６０度未満となるように設定することが好ましい。
【００４４】
フレーム１２０をこのような形状とすることによって、鼻マスク１０１を装着したときにフレーム１２０を鼻孔２２０Ｌ，２２０Ｒに密接した状態とすることができる。すなわち、把持部１２２Ｌ，１２２Ｒを矢印ａ方向に曲げてフレーム１２０を湾曲させて、鼻中隔挟み部１１１Ｌ，１１１Ｒを鼻孔２２０Ｌ，２２０Ｒ内に挿入したあと、把持部１２２Ｌ，１２２Ｒの曲げ力を解除することにより、フィルタ保持部１２３Ｌ，１２３Ｒがその復帰力によって元に戻ろうとするので、フレーム１２０を鼻孔２２０Ｌ，２２０Ｒに密接した状態とすることができる。
【００４５】
また、フィルタ１３０Ｌ，１３０Ｒの素材は、通気性と防塵性とを兼ね備えるとともに、鼻水などを吸水し易くするために吸水性を有し、かつ、軽量な素材であることが好ましい。これらの要素を有するものであれば、特に限定されるものではなく、例えば、これらの要素を有する不織布などが好適である。また、フィルタ１３０Ｌ，１３０Ｒの厚みは、十分なフィルタ機能を有する程度の厚みとすることが好ましい。
【００４６】
図４は、実施形態１に係る鼻マスク１０１の装着手順を説明する図である。まずは、図４（ａ）に示すように、フレーム１２０の把持部１２２Ｌ，１２２Ｒを矢印ａ方向（図１（ｂ）参照）に少し曲げて湾曲させ、鼻マスク脱落防止部１１０の鼻中隔挟み部１１１Ｌと鼻中隔挟み部１１１Ｒとの間隔を広くした状態として、鼻中隔挟み部１１１Ｌ，１１１Ｒを左右の鼻孔２２０Ｌ，２２０Ｒに挿入して行く。図４（ａ）は、鼻中隔挟み部１１１Ｌと鼻中隔挟み部１１１Ｒとの間隔が広がった状態が示されている。なお、鼻中隔挟み部１１１Ｌ，１１１Ｒの鼻孔２２０Ｌ，２２０Ｒへの挿入は、鼻マスク脱落防止部１１０の湾曲部における最後端の内面１１０ａが鼻中隔２１０の先端部に当接する状態（図３に示す状態）となるまで行う。
【００４７】
そして、フレーム１２０の把持部１２２Ｌ，１２２Ｒの矢印ａ方向への曲げ力を解除すると、鼻中隔挟み部１１１Ｌと鼻中隔挟み部１１１Ｒとの間隔が元の間隔に戻り、鼻中隔挟み部１１１Ｌ，１１１Ｒが左右両側から鼻中隔２１０を挟む状態となる。
【００４８】
これにより、図４（ｂ）に示すように、実施形態１に係る鼻マスク１０１が鼻２００に適切に装着された状態となる。このとき、鼻中隔挟み部１１１Ｌ，１１１Ｒにはシリコンコーティングによる球形状部が形成されているので、鼻中隔２１０を柔らかく挟むことができ、鼻孔２２０Ｌ，２２０Ｒの粘膜などに損傷を与えないようにすることができる。
【００４９】
実施形態１に係る鼻マスク１０１が確実に装着された状態となると、フィルタ１３０Ｌ，１３０Ｒは、左右の鼻孔２２０Ｌ，２２０Ｒの入口面に対向し各々の入口面を覆う状態となり、かつ、フレーム１２０のフィルタ保持部１２３Ｌ，１２３Ｒが鼻孔２２０Ｌ，２２０Ｒの入口面を囲む皮膚に密接した状態となる。そして、フレーム１２０の把持部１２２Ｌ，１２２Ｒが鼻２００の左右の鼻翼２３０Ｌ，２３０Ｒの表面に沿うように把持部１２２Ｌ，１２２Ｒをそれぞれ折り曲げることにより、実施形態１に係る鼻マスク１０１の装着状態をより確実なものとすることができる。
【００５０】
ところで、実施形態１に係る鼻マスク１０１において、フレーム１２０は、透明又は人間の皮膚の色に近い色とすることが好ましい。また、人間の鼻２００は、他人から見たときに鼻孔２２０Ｌ，２２０Ｒが黒く見えることから、鼻マスク脱落防止部１１０及びフィルタ１３０Ｌ，１３０Ｒの色は、黒又は黒に近い色とすることが好ましい。フレーム１２０、鼻マスク脱落防止部１１０及びフィルタ１３０Ｌ，１３０Ｒをこのような色とすることにより、装着された鼻マスク１０１の存在を目立たなくすることができる。
【００５１】
また、これとは逆に、鼻マスク１０１を１つの装飾品として考えることもできる。この場合、使用者の好みの色を選べるように、フレーム１２０やフィルタ１３０Ｌ，１３０Ｒの色を多種用意しておけば、使用者は自分の好みの色の鼻マスクを装着することができる。
【００５２】
また、フィルタ１３０Ｌ，１３０Ｒに活性炭や芳香剤を含ませるようにしてもよく、これによれば、悪臭の漂う環境下での作業を行う場合、実施形態１に係る鼻マスク１０１を装着することにより、快適に作業を行うことができる。また、フィルタ１３０Ｌ，１３０Ｒに鼻炎などを緩和する効果を有する薬剤を含ませるようにしてもよい。
【００５３】
以上説明したように、実施形態１に係る鼻マスク１０１は、フィルタ１３０Ｌ，１３０Ｒが鼻孔２２０Ｌ，２２０Ｒの内部に挿入されるものではなく、鼻孔１３０Ｌ，１３０Ｒの入口面に存在するものである。このため、実施形態１に係る鼻マスク１０１を装着したとき、鼻孔１３０Ｌ，１３０Ｒの内部に異物が存在することによる不快感を使用者に与えることがない。また、鼻マスクを装着して、例えばジョギング、サイクリングなどの運動を行う場合、フィルタ１３０Ｌ，１３０Ｒが鼻孔２２０Ｌ，２２０Ｒの内部に挿入されていないので、息苦しさからも解放され、これらの運動を快適に行うことができる。
【００５４】
また、実施形態１に係る鼻マスク１０１は、鼻中隔２１０を鼻中隔挟み部１１１Ｌ，１１１Ｒによって適切な弾性力によって挟むようにしているので、装着後の鼻マスク１０１が簡単に脱落してしまうというような不具合を防止することができ、しかも、着脱は容易である。
【００５５】
また、鼻中隔挟み部１１１Ｌ，１１１Ｒにはシリコンコーティングによる球形状部が形成されているので、鼻中隔２１０を柔らかく挟むことができ、鼻孔２２０Ｌ，２２０Ｒの粘膜などに損傷を与えないようにすることができる。
【００５６】
［実施形態２］
図５は、実施形態２に係る鼻マスク１０２の構成を説明する図である。なお、図５において、図１から図４と同じ構成要素には同一符号が付されている。実施形態２に係る鼻マスク１０２は、図５に示すように、フィルタ１３０Ｌ，１３０Ｒとして使用される素材（フィルタ素材という。）１３１でフレーム１２０全体を覆った構成としている。したがって、フレーム１２０がフィルタ素材１３１の中に埋め込まれたものとなり、外部からフレーム１２０が目視されない状態となる。なお、実施形態２に係る鼻マスク１０２においては、鼻マスク１０２を装着したとき、フレーム１２０におけるフィルタ保持部１２３Ｌ，１２３Ｒに設けられた開口部１２１Ｌ，１２１Ｒに位置するフィルタ素材１３１がフィルタ１３０Ｌ，１３０Ｒとしての機能を果たす。
【００５７】
なお、実施形態２に係る鼻マスク１０２においては、フィルタ１３０Ｌ，１３０Ｒ以外の部分におけるフィルタ素材１３１は、フィルタ１３０Ｌ，１３０Ｒに比べて薄くするようにしてもよい。これにより、鼻マスク全体が厚ぼったくなるのを防ぐことができ、実施形態２に係る鼻マスク１０２を装着したときに鼻マスク１０２の存在を目立ちにくくすることができる。
【００５８】
また、実施形態１に係る鼻マスク１０１と同様、フィルタ１３０Ｌ，１３０Ｒとなる部分に活性炭、芳香剤、鼻炎を緩和する効果のある薬剤などを含ませるようにしてもよく、また、フィルタ素材１３１全体に活性炭、芳香剤、鼻炎を緩和する効果のある薬剤などを含ませるようにしてもよい。
【００５９】
［実施形態３］
上記各実施形態では、フレーム１２０及び鼻マスク脱落防止部１１０を別体として形成して、両者を接着剤などに接合するようにしたが、フレーム１２０及び鼻マスク脱落防止部１１０を一体として形成するようにしてもよい。なお、フレーム１２０及び鼻マスク脱落防止部１１０を一体として形成されたものを脱落防止部一体型フレーム１５０と呼ぶことにする。
【００６０】
図６は、脱落防止部一体型フレーム１５０の構成を示す平面図である。脱落防止部一体型フレーム１５０は、図６に示すように、フレーム部１５１（上記各実施形態におけるフレーム１２０に対応している）と、フレーム部１５１のほぼ中央部（図２に示すフレーム１２０における連結部１２４に対応する部分）において突出された２本の挟み片１５２Ｌ，１５２Ｒ（上記各実施形態における鼻マスク脱落防止部１１０に対応している）とを有している。なお、挟み片１５２Ｌと挟み片１５２Ｒとは所定間隔Ｗを有している。そして、これら挟み片１５２Ｌ，１５２Ｒは、先端部に鼻中隔挟み部１５３Ｌ，１５３Ｒを有しており、鼻中隔挟み部１５３Ｌ，１５３Ｒは、上記各実施形態と同様、シリコンコーティングなどによる球形状部が形成されている。
【００６１】
図６に示すように、挟み片１５２Ｌと挟み片１５２Ｒとが所定間隔Ｗを置いて突設されているため、フレーム部１５１の左右の把持部１５４Ｌ，１５４Ｒを矢印ａ方向に少し曲げて湾曲させると、鼻中隔挟み部１５３Ｌ，１５３Ｒには矢印ｂ，ｂ’方向への回転力が働き、鼻中隔挟み部１５３Ｌと鼻中隔挟み部１５３との間隔が広くなるため、鼻マスクの装着を容易なものとすることができる。
【００６２】
なお、図６に示すような脱落防止部一体型フレーム１５０において、フレーム部１５１の形状や構成などは、実施形態１に係る鼻マスク１０１で示したフレーム１２０（例えば図２参照）と同様とすることができる。また、当該フレーム部１５１に取り付けられるフィルタも実施形態１に係る鼻マスク１０１で示したフィルタ１３０Ｌ，１３０Ｒ（例えば図２参照）と同様のものを使用することがき、その取り付け方も実施形態１に係る鼻マスク１０１と同様とすることができる（例えば図１参照）。また、実施形態２に係る鼻マスク１０２と同様、フレーム全体（フレーム部１５１全体）をフィルタ素材１３１で覆うことも可能である。
【００６３】
図６に示すような脱落防止部一体型フレーム１５０を用いることによっても実施形態１及び実施形態２と同様、フィルタ１３０Ｌ，１３０Ｒが鼻孔２２０Ｌ，２２０Ｒの入口面に存在する鼻マスクを製造することができ、それによって、実施形態１及び実施形態２に係る鼻マスクと同様の効果が得られる。また、図６に示すような脱落防止部一体型フレーム１５０を用いることによって、部品点数を減らすことができ、組み立て工数も減らすことができる。
【００６４】
なお、本発明は上記した実施形態に限られるものではなく、本発明の要旨を逸脱しない範囲で種々変形実施可能となるものであり、例えば、下記（１）〜（３）に示すような変形も可能である。
【００６５】
（１）鼻マスク脱落防止部１１０は、上記各実施形態においては薄板状としたが、これに限られるものではなく、鼻中隔２１０を適切に挟むことができればよいので、例えば、ワイヤー状の部材を用いて形成してもよい。
【００６６】
（２）フレーム１２０も上記各実施形態に示したような構成に限られるものではなく、例えば、ワイヤーなどによって構成することも可能である。特に、実施形態２に係る鼻マスク１０１のように、フィルタ素材１３１でフィルタ全体を覆うような構成とする場合には、フレーム１２０をワイヤーとすることも容易である。なお、フレームをワイヤーによって形成する場合にも、曲げ力が与えられることによって所定形状が形成されたときにその所定形状を保持することができ、かつ、わずかな弾性を有する軽量な素材であることが好ましい。
【００６７】
（３）上記各実施形態では、鼻中隔挟み部１１１Ｌ，１１１Ｒの球形状部はシリコンコーティングにより形成するようにしたが、これに限られるものではなく、鼻マスク脱落防止部１１０として使用される素材（ポリエチレン樹脂、塩化ビニール樹脂など）そのものの先端部（鼻中隔挟み部１１１Ｌ，１１１Ｒ）を球形状とするようにしてもよい。
【符号の説明】
【００６８】
１０１・・・実施形態１に係る鼻マスク、１０２・・・実施形態２に係る鼻マスク、１１０・・・鼻マスク脱落防止部、１１１Ｌ，１１１Ｒ鼻中隔挟み部、１２０・・・フレーム、１２１Ｌ，１２１Ｒ・・・開口部、１２２Ｌ，１２２Ｒ・・・把持部、１２３Ｌ，１２３Ｒ・・・フィルタ保持部、１２４・・・連結部、１３０Ｌ，１３０Ｒ・・・フィルタ、１３１・・・フィルタ素材、１５０・・・脱落防止部一体型フレーム、１５１・・・フレーム部、１５２Ｌ，１５２Ｒ・・・挟み片、１５３Ｌ，１５３Ｒ・・・鼻中隔挟み部、１５４Ｌ，１５４Ｒ・・・把持部、２００・・・鼻、２１０・・・鼻中隔、２２０Ｌ，２２０Ｒ・・・鼻孔
【図１】
2010279603.tif 000003
【図２】
2010279603.tif 000004
【図３】
2010279603.tif 000005
【図４】
2010279603.tif 000006
【図５】
2010279603.tif 000007
【図６】
2010279603.tif 000008
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記鼻マスク脱落防止部及び前記フレームは、別体として形成されており、前記鼻マスク脱落防止部の挿入方向後端側が前記フレームに対して接合されていることを特徴とする鼻マスク。
【請求項２】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記鼻マスク脱落防止部及び前記フレームは、一体として形成されていることを特徴とする鼻マスク。
【請求項３】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記鼻中隔挟み部には、球形状部が形成されていることを特徴とする鼻マスク。
【請求項４】
請求項３に記載の鼻マスクにおいて、
前記球形状部は、シリコンコーティングによって形成されていることを特徴とする鼻マスク。
【請求項５】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記フレームは、前記左右の両端部に使用者が指でつまむことのできる把持部を有することを特徴とする鼻マスク。
【請求項６】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記フレームは、曲げ力が与えられることによって所定形状が形成されたときにその所定形状を保持することができ、かつ、弾性を有する素材により形成されていることを特徴とする鼻マスク。
【請求項７】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記フレームは、フレーム全体が前記フィルタを形成するフィルタ素材によって覆われていることを特徴とする鼻マスク。
【手続補正書】
【提出日】平成21年11月7日(2009.11.7)
【手続補正１】
【補正対象書類名】特許請求の範囲
【補正対象項目名】全文
【補正方法】変更
【補正の内容】
【特許請求の範囲】
【請求項１】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記鼻マスク脱落防止部及び前記フレームは、別体として形成され、前記鼻マスク脱落防止部の挿入方向後端側が前記フレームに対して接合され、
前記フレームは、曲げ力が与えられることによって所定形状が形成されたときにその所定形状を保持することができ、かつ、弾性を有する素材により形成され、かつ、フレームを平面的に見たとき、おおまかには、Ｖ字型をなしていることを特徴とする鼻マスク。
【請求項２】
請求項１に記載の鼻マスクにおいて、
前記鼻マスク脱落防止部は、弾性を有する素材によって形成され、かつ、平面形状がほぼＣ字状をなしていることを特徴とする鼻マスク。
【請求項３】
請求項１又は２に記載の鼻マスクにおいて、
前記鼻マスク脱落防止部と前記フレームとの接合部は、前記フレームの左右方向において所定幅を有していることを特徴とする鼻マスク。
【請求項４】
請求項１〜３のいずれかに記載の鼻マスクにおいて、
前記鼻中隔挟み部には、球形状部が形成されていることを特徴とする鼻マスク。
【請求項５】
請求項４に記載の鼻マスクにおいて、
前記球形状部は、シリコンコーティングによって形成されていることを特徴とする鼻マスク。
【請求項６】
請求項１〜５のいずれかに記載の鼻マスクにおいて、
前記フレームは、前記左右の両端部に使用者が指でつまむことのできる把持部を有することを特徴とする鼻マスク。
【請求項７】
請求項１〜６のいずれかに記載の鼻マスクにおいて、
前記フレームは、フレーム全体が前記フィルタを形成するフィルタ素材によって覆われていることを特徴とする鼻マスク。
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
左右の鼻孔の各々に挿入されて鼻中隔を左右両側から挟む２つの鼻中隔挟み部を前記鼻孔への挿入方向先端側に有し、前記鼻中隔挟み部によって前記鼻中隔を挟んだ状態としたときに前記鼻孔への挿入方向後端側が前記鼻孔の各々の入口面よりも外側に位置する鼻マスク脱落防止部と、
前記鼻マスク脱落防止部の前記挿入方向後端側に位置して、前記鼻孔の各々の入口面に対向する開口部を有するフレームと、
少なくとも前記開口部を覆うように前記フレームに支持されるフィルタとを有し、
前記鼻マスク脱落防止部及び前記フレームは、別体として形成され、前記鼻マスク脱落防止部の挿入方向後端側が前記フレームに対して接合され、
前記フレームは、曲げ力が与えられることによって所定形状が形成されたときにその所定形状を保持することができ、かつ、弾性を有する素材により形成され、かつ、フレームを平面的に見たとき、おおまかには、Ｖ字型をなしており、さらには、前記左右の両端部に使用者が指でつまむことのできる把持部を有することを特徴とする鼻マスク。
【請求項２】
請求項１に記載の鼻マスクにおいて、
前記鼻マスク脱落防止部と前記フレームとの接合部は、前記フレームの左右方向において所定幅を有していることを特徴とする鼻マスク。
【請求項３】
請求項１又は２に記載の鼻マスクにおいて、
前記鼻マスク脱落防止部は、弾性を有する素材によって形成され、かつ、平面形状がほぼＣ字状をなしており、さらには、前記鼻中隔挟み部には球形状部が形成されていることを特徴とする鼻マスク。